(57)【要約】【課題】  新暦・旧暦カレンダーにおける新暦と旧暦の日付の配置を改良して新暦を主要な日付として表示し、新暦と旧暦の双方の日付の視認性を向上させるとともに、新暦での生活上の利便性を向上させることを目的とする。【解決手段】  新暦の少なくとも１ヶ月分の日付が１枚の用紙１２に印刷され、旧暦の日付表示が新暦の日付と対応して表示され、旧暦の日付の表示部の背景を構成する色帯２０が設けられるとともに、色帯の色が二十四節気の四季ごとに変化するよう構成した。【選択図】  図２
0003106625.tif 000002
【実用新案登録請求の範囲】
【請求項１】
１枚の用紙に新暦の日付と旧暦の日付を併せて、少なくとも１ヶ月分を印刷し、かつ二十四節気を示す文字を印刷した複数枚の用紙を束ねて構成した新暦・旧暦カレンダーにおいて、
前記新暦の少なくとも１ヶ月分の日付が１枚の用紙に印刷され、
前記旧暦の日付が前記新暦の日付の近傍に設けられた色帯に、前記旧暦の月日を含む文字で前記新暦の日付と対応して表示され、
前記色帯の色が前記二十四節気の四季ごとに変化するものであることを特徴とする新暦・旧暦カレンダー。
【請求項２】
前記二十四節気が細分化された七十二候を示す文字が前記旧暦の日付を示す文字と対応して配されていることを特徴とする請求項１に記載の新暦・旧暦カレンダー。
【請求項３】
前記旧暦の基礎となる月の満ち欠けを示すマークが適宜配されていることを特徴とする請求項１に記載の新暦・旧暦カレンダー。
【請求項４】
前記二十四節気及び前記七十二候の解説を記述した部分が、前記各用紙に配されていることを特徴とする請求項１に記載の新暦・旧暦カレンダー。
【請求項５】
当該カレンダーの使用方法を説明した文章が少なくとも前記複数枚の用紙の１枚に印刷されていることを特徴とする請求項１に記載の新暦・旧暦カレンダー。
【考案の詳細な説明】
【技術分野】
【０００１】
本考案は、カレンダーに関し、特に新暦と旧暦の双方の日付を表示した新暦・旧暦カレンダーの改良に関する。
【背景技術】
【０００２】
従来から新暦（太陽暦）に加えて旧暦（太陰暦）の日付をも併せて表示した新暦・旧暦カレンダーが知られている。従来のかかる新暦・旧暦カレンダーの一例として、新暦の日付を主として表示し、旧暦の日付を新暦の日付部分の近傍に小さく表示したものがあった。しかし、旧暦の日付が目立たないため、旧暦の日付の視認性が良好でないという問題があった。そこで、旧暦の日付を大きく見やすくした新暦・旧暦カレンダーが提案されている。従来のかかる新暦・旧暦カレンダーの一例として、下記の特許文献１に記載されているものがある。特許文献１に記載の新暦・旧暦カレンダーでは、旧暦の日付が主要な日付として大きく中央に表示され、新暦の日付は、旧暦とは別個に小さく表示されている。
【特許文献１】実用新案登録第２１３３７４２号公報（第２図（その１））
【考案の開示】
【考案が解決しようとする課題】
【０００３】
しかしながら、特許文献１に開示された上記従来の新暦・旧暦カレンダーでは、旧暦の日付は見やすいが、新暦の日付が旧暦の日付とは別個に表示されているので、例えば旧暦の１月の用紙には、旧暦の１月分の表示とは別個に新暦の２月の一部と新暦の３月の一部が表示されていて、新暦の２月の全体や新暦の３月の全体が表示されていない。したがって、新暦で生活する一般の人々にとっては、極めて使いにくいものであったという問題があった。
【０００４】
本考案は上記従来の問題を解決するもので、新暦と旧暦の日付の配置を改良して新暦を主要な日付として表示し、新暦と旧暦の双方の日付の視認性を向上させるとともに新暦での生活上の利便性を向上させることを目的とする。
【課題を解決するための手段】
【０００５】
上記目的を達成するために本考案では、新暦の少なくとも１ヶ月分の日付が１枚の用紙に印刷され、旧暦の日付表示が新暦の日付と対応して表示され、旧暦の日付の表示部の背景を構成する色帯が設けられるとともに、色帯の色が二十四節気の四季ごとに変化するよう構成したものである。
【０００６】
すなわち本考案によれば、１枚の用紙に新暦の日付と旧暦の日付を併せて、少なくとも１ヶ月分を印刷し、かつ二十四節気を示す文字を印刷した複数枚の用紙を束ねて構成した新暦・旧暦カレンダーにおいて、
前記新暦の少なくとも１ヶ月分の日付が１枚の用紙に印刷され、
前記旧暦の日付が前記新暦の日付の近傍に設けられた色帯に、前記旧暦の月日を含む文字で前記新暦の日付と対応して表示され、
前記色帯の色が前記二十四節気の四季ごとに変化するものであることを特徴とする新暦・旧暦カレンダーが提供される。
【０００７】
また、前記二十四節気が細分化された七十二候を示す文字が前記旧暦の日付を示す文字と対応して配されていることは本考案の好ましい態様である。
【０００８】
また、前記旧暦の基礎となる月の満ち欠けを示すマークが適宜配されていることは本考案の好ましい態様である。
【０００９】
また、前記二十四節気及び前記七十二候の解説を記述した部分が、前記各用紙に配されていることは本考案の好ましい態様である。
【００１０】
さらに、当該カレンダーの使用方法を説明した文章が少なくとも前記複数枚の用紙の１枚に印刷されていることは本考案の好ましい態様である。
【考案の効果】
【００１１】
本考案の新暦・旧暦カレンダーでは、新暦の少なくとも１ヶ月分の日付が１枚の用紙に印刷され、旧暦の日付表示が新暦の日付より小さい文字で表示されているので、新暦の１ヶ月分の日付を視認しやすく、使い勝手がよい。
また本考案の新暦・旧暦カレンダーでは、旧暦の日付が新暦の日付の近傍に設けられた色帯に、旧暦の月日を含む文字で表示されているので、旧暦の視認性も高い。
また本考案の新暦・旧暦カレンダーでは、色帯の色が二十四節気の四季ごとに変化するものであり、二十四節気の移り変わりが容易に把握できる。
【考案を実施するための最良の形態】
【００１２】
以下、本考案の実施の形態について、図１〜図４を用いて説明する。図１は、本考案の新暦・旧暦カレンダーの好ましい実施の形態の表紙１０を示す平面図であり、図２及び図３は、表紙１０の下に配され、それぞれ新暦の１月と２月の日付がそれぞれ印刷された用紙１２、１４を示す平面図であり、図４は、このカレンダーの見方・使い方を説明する最終頁１６の平面図である。すなわち、この実施の形態では、図１〜図４に示す用紙１０、１２、１４、１６を含む複数枚の用紙が綴じられ、めくり取り式となっている。図１には、「新暦・旧暦カレンダー」と表示され、このカレンダーが新暦と旧暦の双方の日付を表示するものであることを示している。また、月の満ち欠けの変遷を示す図柄が示されている。なお、本願において特に断りのない日付は新暦の月又は日付である。
【００１３】
図２は、新暦の１月を１週間を横１段として、合計６段として表示した用紙１２を示している。この１月の日付中、例えば１月５日（水）の日付表示部分１８には、新暦の日付である数字の５が大きく表示されている。また、数字の５の上方には、薄い青色の横方向に伸長する帯状部分２０が配されている。この色つきの帯状部分２０は、色帯と呼ばれる。色帯２０の中には、旧暦の日付が記載されている。すなわち、新暦の２００５年１月５日は、旧暦では２００４年１１月２５日に相当するので、「旧１１月２５日」と表示されている。さらに、この日は二十四節気の「小寒」に相当し、また七十二候の「芹乃栄」に相当するので、これらの文字が表示されている。なお、七十二候は、二十四節気を細分化したものである。
【００１４】
図３の２月の表示部分を見ると、色帯２０の色が２月３日と２月４日の境で薄青色からピンク色に変化している。２月３日は七十二候の「節分」であり、２月４日が二十四節気の「立春」であり、色帯２０の色は二十四節気の四季ごとに変化するものである。２月の色帯２０の色の変化は、１月を示す用紙１２の下方に示された２月の縮小表示部２２にも示されている。
【００１５】
図２に示す用紙１２に示される１月部分において、１月４日、１月１０日、１月１７日、１月２５日の色帯２０には、月の満ち欠け示すマーク２４が、「下弦」、「新月」などの文字と共に配されている。月の満ち欠けは、月の運行と共に旧暦（太陰暦）の基礎となっているものであり、また潮の大小などを予測する上で有用なものである。１月１７日の色帯２０には、「土用」の文字が配されているが、これは、雑節といわれるものである。雑節の表示部２６は、図３に示す用紙１４に示される２月部分において、２月３日の色帯２０では、「節分」として表示されている。
【００１６】
二十四節気及び七十二候の解説を記述した部分２８が各用紙１２、１４の下方に配されているので、利用者はこれを参照することにより、旧暦の四季や季節の節目を理解することが可能である。このカレンダーの最終頁１６には、このカレンダーの見方と使用方法を説明した文章が記載されている。
【産業上の利用可能性】
【００１７】
以上のように本考案は、新暦と旧暦の双方が見やすく表示され、二十四節気が二十四節気の四季ごとに異なる色の色帯により表示されているので、新暦で生活する一般の人々にとっても使いやすく、旧暦と新暦の対応と二十四節気の移り変わりが容易に把握できるので、新暦と旧暦を表示するカレンダーの分野で有用である。
【図面の簡単な説明】
【００１８】
【図１】本考案の新暦・旧暦カレンダーの実施の形態の表紙の平面図である。
【図２】本考案の新暦・旧暦カレンダーの実施の形態の新暦の１月を表示した用紙の平面図である。
【図３】本考案の新暦・旧暦カレンダーの実施の形態の新暦の２月を表示した用紙の平面図である。
【図４】本考案の新暦・旧暦カレンダーの実施の形態の最終頁を表示した用紙の平面図である。
【符号の説明】
【００１９】
１０  本考案の新暦・旧暦カレンダーの実施の形態の表紙
１２  本考案の新暦・旧暦カレンダーの実施の形態の新暦の１月を表示した用紙
１４  本考案の新暦・旧暦カレンダーの実施の形態の新暦の２月を表示した用紙
１６  本考案の新暦・旧暦カレンダーの実施の形態の最終頁を表示した用紙
１８  日付表示部分
２０  帯状部分（色帯）
２２  縮小表示部
２４  月の満ち欠けを示すマーク
２６  雑節の表示部
２８  二十四節気及び七十二候の解説を記述した部分
【図１】
0003106625.tif 000003
【図２】
0003106625.tif 000004
【図３】
0003106625.tif 000005
【図４】
0003106625.tif 000006
【手続補正書】
【提出日】平成16年9月16日(2004.9.16)
【手続補正１】
【補正対象書類名】実用新案登録請求の範囲
【補正対象項目名】請求項１
【補正方法】変更
【補正の内容】
【請求項１】
１枚の用紙に新暦の日付と旧暦の日付を併せて、少なくとも１ヶ月分を印刷し、かつ二十四節気を示す文字を印刷した複数枚の用紙を束ねて構成した新暦・旧暦カレンダーにおいて、
前記新暦の少なくとも１ヶ月分の日付の各日が方形の部分として順次配列されて１枚の用紙に印刷され、
前記旧暦の日付が、前記方形の部分内の前記新暦の日付を表す数字の近傍に前記方形の部分の一部として設けられた色帯内に、前記旧暦の月日を含む文字で前記新暦の日付と対応して表示され、
前記色帯の色が前記二十四節気の四季ごとに変化することにより前記二十四節気の変化点に該当する隣り合う前記方形の部分の前記各色帯の色が相互に異なる色となっていることを特徴とする新暦・旧暦カレンダー。
【手続補正２】
【補正対象書類名】明細書
【補正対象項目名】０００５
【補正方法】変更
【補正の内容】
【０００５】
上記目的を達成するために本考案では、新暦の少なくとも１ヶ月分の日付の各日が方形の部分として順次配列されて１枚の用紙に印刷され、旧暦の日付表示が方形の部分内の新暦の日付を表す数字と対応して表示され、旧暦の日付の表示部の背景を構成する色帯が方形の部分の一部として設けられるとともに、色帯の色が二十四節気の四季ごとに変化することにより二十四節気の変化点に該当する隣り合う方形の部分の各色帯の色が相互に異なる色となっているよう構成したものである。
【手続補正３】
【補正対象書類名】明細書
【補正対象項目名】０００６
【補正方法】変更
【補正の内容】
【０００６】
すなわち本考案によれば、１枚の用紙に新暦の日付と旧暦の日付を併せて、少なくとも１ヶ月分を印刷し、かつ二十四節気を示す文字を印刷した複数枚の用紙を束ねて構成した新暦・旧暦カレンダーにおいて、
前記新暦の少なくとも１ヶ月分の日付の各日が方形の部分として順次配列されて１枚の用紙に印刷され、
前記旧暦の日付が、前記方形の部分内の前記新暦の日付を表す数字の近傍に前記方形の部分の一部として設けられた色帯内に、前記旧暦の月日を含む文字で前記新暦の日付と対応して表示され、
前記色帯の色が前記二十四節気の四季ごとに変化することにより前記二十四節気の変化点に該当する隣り合う前記方形の部分の前記各色帯の色が相互に異なる色となっていることを特徴とする新暦・旧暦カレンダーが提供される。
【手続補正４】
【補正対象書類名】明細書
【補正対象項目名】００１１
【補正方法】変更
【補正の内容】
【００１１】
本考案の新暦・旧暦カレンダーでは、新暦の少なくとも１ヶ月分の日付の各日が方形の部分として順次配列されて１枚の用紙に印刷され、旧暦の日付表示が新暦の日付より小さい文字で表示されているので、新暦の１ヶ月分の日付を視認しやすく、使い勝手がよい。
また本考案の新暦・旧暦カレンダーでは、旧暦の日付が方形の部分内の新暦の日付を表す数字の近傍に方形の部分の一部として設けられた色帯内に、旧暦の月日を含む文字で表示されているので、旧暦の視認性も高い。
また本考案の新暦・旧暦カレンダーでは、色帯の色が二十四節気の四季ごとに変化することにより二十四節気の変化点に該当する隣り合う方形の部分の各色帯の色が相互に異なる色となっており、二十四節気の移り変わりが容易に把握できる。
【手続補正５】
【補正対象書類名】図面
【補正対象項目名】図１
【補正方法】変更
【補正の内容】
【図１】
0003106625.tif 000007
【手続補正６】
【補正対象書類名】図面
【補正対象項目名】図４
【補正方法】変更
【補正の内容】
【図４】
0003106625.tif 000008